(57)【要約】      （修正有）【課題】正月飾りの裏面に磁力シートを貼り付けるといった正月飾りに対する特殊な加工を必要とすることなく、従来と同様に正月飾りを吊り下げて使用するものでありながら、見栄えの点でおもしろさや斬新性を与えることができ、看者に強い印象を与えることができる正月飾りの吊り下げ用ホルダーを提供する。【解決手段】ホルダー本体１０と、該ホルダー本体を吊り下げるための第１の係合部材と、ホルダー本体１０に正月飾りを吊り下げるための第２の係合部材と、を備え、前記ホルダー本体１０の表面には、正月を想起させる模様が形成されている。【選択図】図６
0003188255.tif 000002
【実用新案登録請求の範囲】
【請求項１】
ホルダー本体と、
該ホルダー本体を吊り下げるための第１の係合部材と、
該ホルダー本体に正月飾りを吊り下げるための第２の係合部材と、
を備え、
前記ホルダー本体の表面には、正月を想起させる模様が形成されていることを特徴とする正月飾りの吊り下げ用ホルダー。
【請求項２】
前記ホルダー本体は、基部材と、該基部材の少なくとも一部において基部材の上面に配置された可撓性のある被覆部材とを備えるとともに、前記被覆部材の上部側の少なくとも一部が基部材と固定されることにより、常時は被覆部材と基部材が重ね合わされて基部材が被覆部材により隠蔽される一方、被覆部材の下部側が基部材と離間する方向にめくられると基部材が露出状態となり、
かつ、前記第２の係合部材は前記被覆部材で隠蔽された基部材に設けられるとともに、前記正月飾りを前記第２の係合部材に吊り下げた状態では、第２の係合部材は前記被覆部材で隠蔽され、
前記正月を想起させる模様は、前記被覆部材の表面に形成されている請求項１に記載の正月飾りの吊り下げ用ホルダー。
【請求項３】
前記被覆部材で隠蔽された基部材には、雄雌部を嵌合解除自在な一対のホック部材の一方が設けられると共に、
前記第２の係合部材は、長さ方向の一端部が前記基部材のホック部材に止着され、他端部に、前記ホック部材の一方に解除可能に嵌合されるホック部材の他方が取着された可撓性のある帯状ないしひも状片からなり、
前記第２の係合部材の前記他端部を、前記正月飾りの吊り下げ用係合部材に通して、該他端部のホック部材を前記基部材側のホック部材にホック止めすることにより、前記正月飾りを吊り下げ状態に保持するものとなされている請求項２に記載の正月飾りの吊り下げ用ホルダー。
【請求項４】
前記正月を想起させる模様は刺繍により形成されている請求項１〜３のいずれかに記載の正月飾りの吊り下げ用ホルダー。
【考案の詳細な説明】
【技術分野】
【０００１】
この考案は、正月に玄関ドア等に吊り下げて飾られる正月飾りの吊り下げ用ホルダーに関する。
【背景技術】
【０００２】
このような正月飾りは、従来、玄関ドア等にマグネットや粘着剤等で固定されたフック部材に、正月飾りの吊り下げ用係合部材を係合させて、吊り下げ状態に飾られていた。
【０００３】
しかし、フック部材に直接に正月飾りを吊り下げると、見栄えの点でおもしろさや斬新性に欠け、もう一つ印象に乏しいものであった。
【０００４】
なお、下記特許文献には、裏面に磁力シートを貼り付けた正月飾りが提案されている。この正月飾りは、その裏面の磁力シートを介して金属製の玄関ドアに直接に吸着保持されるものであり、正月飾りを吊り下げるためのフック部材が不要になるという効果がある。
【先行技術文献】
【特許文献】
【０００５】
【特許文献１】実用新案登録第３０６３２５２号公報
【考案の概要】
【考案が解決しようとする課題】
【０００６】
しかしながら、上記特許文献１に記載の技術では、正月飾りの裏面に磁力シートを貼り付ける必要があることから、その分製造コスト高につくという問題があった。
【０００７】
しかも、フック部材に直接に正月飾りを吊り下げた場合における、見栄えの点でおもしろさや斬新性に欠ける点に関して、これを払拭できるものではなかった。
【０００８】
この考案は、このような事情に鑑みてなされたものであり、正月飾りの裏面に磁力シートを貼り付けるといった正月飾りに対する特殊な加工を必要とすることなく、従来と同様に正月飾りを吊り下げて使用するものでありながら、見栄えの点でおもしろさや斬新性を与えることができ、看者に強い印象を与えることができる正月飾りの吊り下げ用ホルダーの提供を課題とする。
【課題を解決するための手段】
【０００９】
上記課題は以下の手段によって解決される。
（１）ホルダー本体と、該ホルダー本体を吊り下げるための第１の係合部材と、該ホルダー本体に正月飾りを吊り下げるための第２の係合部材と、を備え、前記ホルダー本体の表面には、正月を想起させる模様が形成されていることを特徴とする正月飾りの吊り下げ用ホルダー。
（２）前記ホルダー本体は、基部材と、該基部材の少なくとも一部において基部材の上面に配置された可撓性のある被覆部材とを備えるとともに、前記被覆部材の上部側の少なくとも一部が基部材と固定されることにより、常時は被覆部材と基部材が重ね合わされて基部材が被覆部材により隠蔽される一方、被覆部材の下部側が基部材と離間する方向にめくられると基部材が露出状態となり、かつ、前記第２の係合部材は前記被覆部材で隠蔽された基部材に設けられるとともに、前記正月飾りを前記第２の係合部材に吊り下げた状態では、第２の係合部材は前記被覆部材で隠蔽され、前記正月を想起させる模様は、前記被覆部材の表面に形成されている前項１に記載の正月飾りの吊り下げ用ホルダー。
（３）前記被覆部材で隠蔽された基部材には、雄雌部を嵌合解除自在な一対のホック部材の一方が設けられると共に、前記第２の係合部材は、長さ方向の一端部が前記基部材のホック部材に止着され、他端部に、前記ホック部材の一方に解除可能に嵌合されるホック部材の他方が取着された可撓性のある帯状ないしひも状片からなり、前記第２の係合部材の前記他端部を、前記正月飾りの吊り下げ用係合部材に通して、該他端部のホック部材を前記基部材側のホック部材にホック止めすることにより、前記正月飾りを吊り下げ状態に保持するものとなされている前項２に記載の正月飾りの吊り下げ用ホルダー。
（４）前記正月を想起させる模様は刺繍により形成されている前項１〜３のいずれかに記載の正月飾りの吊り下げ用ホルダー。
【考案の効果】
【００１０】
前項（１）に記載の発明によれば、表面に正月を想起させる模様が形成された吊り下げ用ホルダーを介して、正月飾りが例えば玄関ドア等に吊り下げられることになる。従って、吊り下げ用ホルダーがデザイン的なアクセントになり、正月飾りのみを吊り下げる場合に較べて、趣の異なる印象を看者に与えることができる。しかも、吊り下げ用ホルダーに設けられた正月を想起させる模様により、正月飾りと相俟って正月の雰囲気をより一層醸し出すことができるとともに、デザイン的なおもしろさや斬新性を与えることができ、見栄えの良い正月飾りの吊り下げ状態を実現することができる。
【００１１】
前項（２）に記載の発明によれば、正月飾りを吊り下げるときは、ユーザーは、被覆部材の下部側を基部材と離間する方向にめくり上げて基部材を露出させ、基部材に設けられた正月飾りを吊り下げるための第２の係合部材に正月飾りの係合部材を係合させることにより、容易に正月飾りをホルダーに吊り下げることができる。しかも、正月飾りを前記第２の係合部材に吊り下げた状態では、第２の係合部材は被覆部材で隠蔽されるから、第２の係合部材が露出して外観体裁を悪化させるのを防止できる。
【００１２】
前項（３）に記載の発明によれば、第２の係合部材はその長さ方向の一端部が基部材に設けられたホック部材の一方に止着され、他端部に、前記ホック部材の一方に解除可能に嵌合されるホック部材の他方が固着された可撓性のある帯状ないしひも状片からなり、第２の係合部材の他端部を、正月飾りの吊り下げ用係合部材に通して、ホック部材を基部材側のホック部材にホック止めすることにより、簡単な操作で容易に正月飾りを吊り下げ状態に保持することができる。
【００１３】
前項（４）に記載の発明によれば、正月を想起させる模様が刺繍により形成されているから、ホルダーに高級感を醸し出すことができ、さらに見栄えの良い吊り下げ状態を実現できる。
【図面の簡単な説明】
【００１４】
【図１】この考案の一実施形態に係る正月飾りの吊り下げ用ホルダーの斜視図である。
【図２】図１に示したホルダーの構成要素を分解して示す斜視図である。
【図３】被覆部材をめくり上げた状態のホルダーの斜視図である。
【図４】被覆部材の一部を切り取って示すホルダーの正面図である。
【図５】正月用飾りを吊り下げた状態で、被覆部材の一部を切り取って示すホルダーの正面図である。
【図６】正月用飾りを吊り下げた状態のホルダーの正面図である。
【図７】正月用飾りを吊り下げた状態のホルダーの裏面図である。
【図８】第２の係合部の変形例を示すホルダーの正面図である。
【図９】同じくホルダーの裏面図である。
【図１０】第２の係合部のさらに変形例を示すホルダーの正面図である。
【図１１】同じくホルダーの裏面図である。
【考案を実施するための形態】
【００１５】
以下、この考案の実施形態を図面に基づいて説明する。
【００１６】
図１はこの考案の一実施形態に係る正月飾り用ホルダーの斜視図、図２はホルダーの構成要素を分解して示す斜視図である。
【００１７】
これらの図に示すように、正月飾り用ホルダー１は、基部材１１と、被覆部材１２と、左右１対の羽片１３、１３と、くちばし片１４とを備えている。また、基部材１１と被覆部材１２とによってホルダー本体１０が構成されている。
【００１８】
前記基部材１１は例えばポリウレタン等の樹脂からなる可撓性のあるシート材を、所定の輪郭形状、例えばこの実施形態のようにふくろうの輪郭形状に切断してシート片に形成されたものである。
【００１９】
前記被覆部材１２は、基部材１１の輪郭形状の一部に対応する輪郭形状を有する可撓性のあるシート片からなり、基部材１１の上端部の領域と下端部を残して、基部材１１の上面を被覆するように基部材１１に重ね合わされて配置されている。この被覆部材１２は刺繍を施すことが容易な刺繍用生地、例えば天然素材のリネン等の素材により形成されている。
【００２０】
また、被覆部材１２はその上端部の左右の位置のみが基部材１１と縫いつけられて連結されている。従って、ユーザーは、図３に矢印Ａで示すように、被覆部材１２の下端部を把持して基部材１１と離間する方向にめくり、被覆部材１２による基部材１１の隠蔽を解除して基部材１１の表面を露出できるものとなされている。
【００２１】
被覆部材１２の上端左右部には一対の羽片１３、１３がそれぞれ縫い付けられるとともに、被覆部材１２の上端中央部にはくちばし片１４が縫い付けられている。これらの羽片１３やくちばし片１４も、ポリウレタン等の樹脂からなる可撓性のあるシート材を羽やくちばしの輪郭形状に切断して形成されたものである。
【００２２】
さらに、被覆部材１２の表面には、看者に正月を想起させる模様５（この実施形態では宝船の模様）が形成されている。この実施形態では、前記模様は刺繍により形成されているが、インク等を用いた彩色により形成されても良いし、模様を有する部材を被覆部材１２に貼り付けても良い。
【００２３】
正月を想起させる模様５は特に限定されることはなく、干支、飾り餅、初日の出、たこ揚げ、こま回し等の正月を想起させる絵柄や図形であっても良いし、元旦等の文字やその他の記号により正月を想起させるものであっても良いし、これらの結合であっても良い。
【００２４】
また、被覆部材１２の上方において、基部材１１の表面には、フクロウの目を形成するための２個の飾り片１５、１５が取着されており、これらの飾り片１５、１５と前記羽片１３、１３やくちばし片１４、さらには本体１０の輪郭形状等が相俟って、ホルダー全体がフクロウを模したものとなり、かつその中心に、正月を想起させる模様５が施されている状態となる。
【００２５】
図２〜図４に示すように、前記被覆部材１２で被覆された基部材１１の中央部付近には、雌型嵌合部を有するホック部材２１ａがかしめ止め等により取着されている。そして、このホック部材２１ａに、可撓性を有する帯状の第２の係合部材３の長さ方向の一端部が一体に固定されている。また、前記第２の係合部材３の長さ方向の他端部には、雄型嵌合部を有するホック部材２１ｂが取着されている。
【００２６】
この第２の係合部材３は、正月用飾りを吊り下げるためのものであり、第２の係合部材３の開放側の他端部を、正月飾りの吊り下げ用係合部材に通して、該他端部のホック部材２１ｂの雄型嵌合部を前記基部材１１側のホック部材２１ａの雌型嵌合部に嵌め込んでホック止めすることにより、正月飾りを吊り下げ状態に保持するものである。
【００２７】
第２の係合部材３の長さは、開放側の端部のホック部材２１ｂの雄型嵌合部を基部材１１側のホック部材２１ａの雌型嵌合部に嵌め込んでホック止めしたとき、換言すれば正月飾りを吊り下げ状態に保持したときに、第２の係合部材３が被覆部材１２と基部材１１との間に位置して被覆部材１２によって完全に隠蔽され、外部から視認できないような長さに設定されている。
【００２８】
なお、第２の係合部材３は帯状でなくひも状に形成されたものであっても良い。
【００２９】
また、前記基部材１１の上端部裏面には、ホルダー１を玄関ドア等に吊り下げるためにひも状部材によりループ状に形成された第１の係合部材３の基端部が固着されている。
【００３０】
次に、この実施形態に係る正月飾りの吊り下げ用ホルダー１の使用方法を説明する。
【００３１】
まず、図３に矢印Ａで示すように、ユーザーが被覆部材１２の下端部を把持して基部材１１と離間する方向にめくり上げ、被覆部材１２による基部材１１の隠蔽を解除して基部材１１の表面を露出させる。
【００３２】
続いて、第２の係合部材３の開放側の端部を、図５に示すように、正月飾り７のループ状の吊り下げ用係合部材７１に通して、該端部のホック部材２１ｂを基部材１１側のホック部材２１ａにホック止めする。これにより、第２の係合部材３のループ部に正月飾り７の吊り下げ用係合部材７１が係合された状態になる。
【００３３】
この係合状態を保持したまま、ループ状の第１の係合部材４を、玄関ドア等の表面のフック部材（図示せず）に係合させると、ホルダー１を介して正月飾り７が玄関ドア等に吊り下げられた状態となる。
【００３４】
この状態では、図６及び図７に示すように、正月飾り７と玄関ドア表面のフック部材との間に吊り下げ用ホルダー１が存在するから、吊り下げ用ホルダー１がデザイン的なアクセントになり、正月飾り７のみを吊り下げた場合に較べて、趣の異なる印象を看者に与えることができる。しかも、吊り下げ用ホルダー１の被覆部材１２に設けられた正月を想起させる模様５により、正月飾り７と相俟って正月の雰囲気をより一層醸し出すことができるとともに、デザイン的なおもしろさや斬新性を与えることができ、見栄えの良い正月飾り７の吊り下げ状態を実現することができる。
【００３５】
また、被覆部材１２は刺繍を施すことが可能な生地で構成され、正月を想起させる模様５は刺繍により形成されているから、ホルダー１に高級感や豪華さを醸し出すことができ、さらに見栄えの良い吊り下げ状態を実現できる。
【００３６】
さらに、正月飾り７を吊り下げるときは、ユーザーは、ホルダー１の被覆部材１２の下部側を基部材１１と離間する方向にめくり上げて基部材１１を露出させ、基部材１１に設けられた第２の係合部材３に正月飾り７の係合部材７１を係合させることにより、容易に正月飾り７をホルダー１に吊り下げることができる。
【００３７】
さらには、正月飾り７の係合部材７１が係合されたホルダー１の第２の係合部材３は、被覆部材１２により隠蔽されているから、第２の係合部材３が被覆部材１２の脇から外部にはみ出て外観体裁を悪化させることはない。
【００３８】
以上、この考案の一実施形態を説明したが、本考案は上記実施形態に限定されることはない。
【００３９】
例えば、第１の係合部材４の取付位置は基部材１１の上端部に限定されることはない。図８及び図９に示すように、第１の係合部材４１の長さ方向の両端部が、基部材１１の上下方向の中央部両端付近に取着されていても良い。また、図１０及び図１１に示すように、ビーズ状ないし鎖状の第１の係合部材４２を用いても良い。
【００４０】
また、第２の係合部材３の他端を基部材１１にホック止めする構成としたが、面ファスナーその他の止着手段により止着する構成であっても良い。また、第２の係合部材３の開放側の端部にフック（鉤）部材を設け、このフック部材に正月飾り７の係合部材７１を係合させて正月飾り７を吊り下げても良い。
【００４１】
また、ホルダー１の全体をフクロウを模したものに作成したが、他のものを模しても良いし、何にも模さなくても良い。
【００４２】
また、ホルダー本体１０が基部材１１と被覆部材１２を備えている構成を例示したが、ホルダー本体１０が基部材１１のみから構成され、この基部材１１に、正月を想起させる模様５が付加されていても良い。
【符号の説明】
【００４３】
１        正月飾り吊り下げ用ホルダー
１０      本体
１１      基部材
１２      被覆部材
２１ａ    ホック部材
２１ｂ    ホック部材
３        第２の係合部材
４、４１、４２    第１の係合部材
７        正月飾り
７１      係合部材
【図１】
0003188255.tif 000003
【図２】
0003188255.tif 000004
【図３】
0003188255.tif 000005
【図４】
0003188255.tif 000006
【図５】
0003188255.tif 000007
【図６】
0003188255.tif 000008
【図７】
0003188255.tif 000009
【図８】
0003188255.tif 000010
【図９】
0003188255.tif 000011
【図１０】
0003188255.tif 000012
【図１１】
0003188255.tif 000013